(57)【特許請求の範囲】
【請求項１】
四角柱状の角型土嚢であって、
上面視で四角形状の底面布、該底面布の四方の辺縁部それぞれから起立するように設けられた側面布、及び、それぞれの該側面布の上辺縁部に設けられた上面布、からなる袋体と、
四方の前記側面布の内面に添うようにそれぞれ配置されたボードと、
前記袋体に取り付けられた吊りベルトと、
前記袋体内の前記ボードよりも内側に充填された充填材と、
を備え、
前記充填材の上面が前記上面布により覆われており、
四方の前記側面布の内側には、それぞれ、補助布が設けられており、
前記ボードが、前記側面布と前記補助布とにより挟持されるように配置され、
前記袋体内の前記補助布よりも内側に前記充填材が充填されている角型土嚢。
【請求項２】
前記補助布の上側の上辺縁部と、その両側の横辺縁部とが、共に、前記側面布に縫着されている請求項１記載の角型土嚢。
【請求項３】
四方に設けられた前記側面布が、一枚の長尺状の布からなるものであり、
該側面布の下辺縁部と、前記底面布の各辺縁部とが縫着され、
該側面布の上辺縁部と、前記上面布の基端辺縁部とが縫着されている請求項１又は２記載の角型土嚢。
【請求項４】
一方の向かい合う前記上面布同士が連結されている請求項１〜３のいずれか１項に記載の角型土嚢。
【請求項５】
上面布が一方の相対する一対の第１上面布と、他方の相対する一対の第２上面布とからなり、
前記第１上面布同士が連結され、
前記第２上面布同士が、前記第１上面布同士の下面で、互いに重なり合っている請求項１〜４のいずれか１項に記載の角型土嚢。
【請求項６】
前記ボードの曲げ強度が３ＭＰａ以上である請求項１〜５のいずれか１項に記載の角型土嚢。
【請求項７】
前記吊りベルトが、前記底面布の裏面に対して直交した状態で縫着され、且つ、該底面布から立ち上がるようにして、四方の前記側面布の外側の横方向に対して中間の位置に垂直に縫着されている請求項１〜６のいずれか１項に記載の角型土嚢。
【請求項８】
前記袋体の上方の前記吊りベルトには、取っ手部が取り付けられている請求項７記載の角型土嚢。
【発明の詳細な説明】
【技術分野】
【０００１】
本発明は、角型土嚢に関し、更に詳しくは、土嚢を隣合せて複数設置した場合に、土嚢同士の間に生じる隙間を極力小さくすることができる角型土嚢に関する。
【背景技術】
【０００２】
海岸、河川、湖、池、道路、山林等での土木工事に土嚢が各所で用いられている。
かかる土嚢は、一般に、円柱状（上面視で丸型）の袋体に、充填材が充填された構成となっている。
【０００３】
例えば、有底円筒状の基布袋体と、該基布袋体を吊るための帯状の吊りベルトと、を備える土嚢用袋体に、中詰め材（充填材）が充填された土嚢が知られている（例えば、特許文献１参照）。
【先行技術文献】
【特許文献】
【０００４】
【特許文献１】特開２０１４−１７３３６３号公報
【発明の概要】
【発明が解決しようとする課題】
【０００５】
しかしながら、円柱状の土嚢を隣合せで複数設置した場合、土嚢同士の間の四隅に隙間が生じることになる。この場合、スペースの無駄が生じると共に、隙間にゴミがたまる等の問題がある。
また、河川の氾濫や土砂崩れを抑えるために従来の土嚢を用いた場合、土嚢同士の間の隙間から水や土砂が漏れ易いという欠点がある。
さらに、長期間経過後の土嚢は、紫外線等の影響により、袋体の強度が低下している場合があるため、土嚢間に隙間があると、充填材が、隙間の部分に位置する袋体の布地を空間側へ押し広げ、袋体を破損させる恐れがある。
【０００６】
本発明は上記事情に鑑みてなされたものであり、土嚢を隣合せて設置した場合に、土嚢同士の間に生じる隙間を極力小さくすることができる角型土嚢を提供することを目的とする。
【課題を解決するための手段】
【０００７】
本発明者は、上記課題を解決するため鋭意検討したところ、四角柱状とし、四方の側面布の内面に添うようにボードを配置し、袋体内の充填材をボードよりも内側に充填させることにより、上記課題を解決し得ることを見出し、本発明を完成させるに至った。
【０００８】
本発明は、（１）四角柱状の角型土嚢であって、上面視で四角形状の底面布、該底面布の四方の辺縁部それぞれから起立するように設けられた側面布、及び、それぞれの該側面布の上辺縁部に設けられた上面布、からなる袋体と、四方の側面布の内面に添うようにそれぞれ配置されたボードと、袋体に取り付けられた吊りベルトと、袋体内のボードよりも内側に充填された充填材と、を備え、充填材の上面が上面布により覆われており、四方の側面布の内側には、それぞれ、補助布が設けられており、ボードが、側面布と補助布とにより挟持されるように配置され、袋体内の補助布よりも内側に充填材が充填されている角型土嚢に存する。
【００１０】
本発明は、（２）補助布の上側の上辺縁部と、その両側の横辺縁部とが、共に、側面布に縫着されている上記（１）記載の角型土嚢に存する。
【００１１】
本発明は、（３）四方に設けられた側面布が、一枚の長尺状の布からなるものであり、該側面布の下辺縁部と、底面布の各辺縁部とが縫着され、該側面布の上辺縁部と、上面布の基端辺縁部とが縫着されている上記（１）又は（２）記載の角型土嚢に存する。
【００１２】
本発明は、（４）一方の向かい合う上面布同士が連結されている上記（１）〜（３）のいずれか１つに記載の角型土嚢に存する。
【００１３】
本発明は、（５）上面布が一方の相対する一対の第１上面布と、他方の相対する一対の第２上面布とからなり、第１上面布同士が連結され、第２上面布同士が、第１上面布同士の下面で、互いに重なり合っている上記（１）〜（４）のいずれか１つに記載の角型土嚢に存する。
【００１４】
本発明は、（６）ボードの曲げ強度が３ＭＰａ以上である上記（１）〜（５）のいずれか１つに記載の角型土嚢に存する。
【００１５】
本発明は、（７）吊りベルトが、底面布の裏面に対して直交した状態で縫着され、且つ、該底面布から立ち上がるようにして、四方の側面布の外側の横方向に対して中間の位置に垂直に縫着されている上記（１）〜（６）のいずれか１つに記載の角型土嚢に存する。
【００１６】
本発明は、（８）袋体の上方の吊りベルトには、取っ手部が取り付けられている上記（７）記載の角型土嚢に存する。
【発明の効果】
【００１７】
本発明の角型土嚢は、底面布、側面布及び上面布で囲まれる四角柱状であるため、隣合せて設置した場合、側面同士が当接され、生じる隙間を極力小さくすることができる。
これにより、スペースを有効利用できると共に、隙間にゴミがたまることを抑制できる。
また、河川の氾濫や土砂崩れを抑えるために用いた場合であっても、角型土嚢同士の間の隙間から水や土砂が漏れ難くなる。
さらに、長期間経過後の袋体の強度が低下している場合であっても、角型土嚢同士が隣接しているため、充填材の充填圧により、袋体が破損することを防止できる。
【００１８】
本発明の角型土嚢においては、四方の側面布の内面に添うようにボードを配置し、袋体内の充填材をボードよりも内側に充填させることにより、充填材の充填圧によりボードが固定され、且つ、当該ボードにより、施工の際等に袋体の形状が変形することを抑制することができる。
また、この場合、充填圧は、ボードを介して、袋体に均等に加わることになる。
ちなみに、一般的な土嚢においては、充填された充填材の充填圧が、土嚢の側面に対して、放射状に付加されるため、単に、袋体の形状を四角柱状にしただけでは、施工の際に形状を維持することができない。すなわち、充填材を投入して、土嚢を吊上げると、その充填圧により円柱状に変形してしまう。
【００１９】
本発明の角型土嚢は、四角柱状であるため、地震や土砂崩れ等の際に、転がって移動することを防止することができる。
また、吊りベルトが取り付けられているので、当該吊りベルトを介して容易に運搬することができる。
【００２０】
本発明の角型土嚢においては、角型土嚢を吊り上げると、充填材が、その重量により、袋体の布地を下方に押し下げようとするため、結果的に、ボードが上方に移動するように作用するが、このボードが、側面布と補助布とにより挟持されており、且つ、袋体内の充填材が補助布よりも内側に充填されているので、充填材の充填圧が補助布に加わり、その補助布によってボードが圧を受けて拘束されることになる。このため、吊り上げの際に、ボードが上下にずれることを防止することができる。
【００２１】
このとき、補助布の上辺縁部と、一対の横辺縁部とが、共に、側面布に縫着されていることが好ましい。この場合、補助布が、側面布に取り付けられた下方に開口を有するポケットの役割を果たすため、当該ポケットにボードを挿入することにより、ボードが上方向だけでなく、横方向にずれることも防止でき、ボードの位置決めを簡単に行うことができる。
【００２２】
本発明の角型土嚢においては、四方に設けられた側面布が、一枚の長尺状の布からなるものであり、該側面布の下辺縁部と、底面布の各辺縁部とが縫着され、該側面布の上辺縁部と、上面布の基端辺縁部とが縫着されている場合、製造が容易であり、強度にも優れるものとなる。
【００２３】
本発明の角型土嚢においては、一方の向かい合う上面布同士が連結されている場合、施工の際等に、充填材の上面が不作為に開放されて充填材がこぼれ落ちることを極力防止することができる。
また、第１上面布同士が連結され、第２上面布同士が、第１上面布同士の下面で、互いに重なり合っている場合、充填材がこぼれ落ちることを確実に防止することができる。
【００２４】
本発明の角型土嚢においては、ボードの曲げ強度が３ＭＰａ以上である場合、充填材の充填圧により、ボードが変形することを防止することができる。
【００２５】
本発明の角型土嚢において、袋体には、ループ状の吊りベルトが取り付けられており、該吊りベルトが、底面布の裏面に対して直交した状態で縫着され、且つ、該底面布から立ち上がるようにして、四方の側面布の外側の横方向に対して中間の位置に垂直に縫着されている場合、袋体の形状を極力変形させずに、当該吊りベルトを介して角型土嚢を容易に搬送することができる。
【００２６】
このとき、袋体の上方の吊りベルトには、取っ手部が取り付けられている場合、吊りベルトを補強することができ、フックを取り付ける位置も明確となる。
【図面の簡単な説明】
【００２７】
【図１】図１は、本発明に係る角型土嚢の第１実施形態を概略的に示す斜視図である。
【図２】図２の（ａ）は、第１実施形態に係る角型土嚢において、充填材を投入する前の上面布を開いた状態を概略的に示す斜視図であり、（ｂ）は、その断面図である。
【図３】図３の（ａ）は、第１実施形態に係る角型土嚢において、袋体を製造する前の底面布を示す正面図であり、（ｂ）は、第１実施形態に係る角型土嚢において、袋体を製造する前の側面布を示す正面図であり、（ｃ）は、底面布に側面布を設けた状態を示す斜視図である。
【図４】図４の（ａ）は、第１実施形態に係る角型土嚢において、袋体を製造する前の第１上面布を示す上面図であり、（ｂ）は、袋体を製造する前の第２上面布を示す上面図である。
【図５】図５の（ａ）は、第１実施形態に係る角型土嚢において充填材による充填圧のかかり方を説明するための説明図であり、（ｂ）は、ボードを有しない場合の充填材による充填圧のかかり方を説明するための説明図である。
【図６】図６の（ａ）は、第１実施形態に係る角型土嚢を隣合せで設置した状態を模式的に示す上面図であり、（ｂ）は、従来の土嚢を隣り合わせで設置した状態を模式的に示す上面図である。
【図７】図７の（ａ）は、第２実施形態に係る角型土嚢において、充填材を投入する前の上面布を開いた状態を概略的に示す斜視図であり、（ｂ）は、その断面図である。
【図８】図８は、第３実施形態に係る角型土嚢において、充填材を投入する前の上面布を開いた状態を概略的に示す斜視図である。
【図９】図９は、他の実施形態に係る角型土嚢の概略を示す斜視図である。
【発明を実施するための形態】
【００２８】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２９】
本発明に係る角型土嚢は、袋体に充填材が充填された状態で用いられる。
ここで、充填材としては、公知のものが用いられ、例えば、土砂、砕石等が挙げられる。
【００３０】
（第１実施形態）
まず、本発明に係る角型土嚢の第１実施形態について説明する。
図１は、本発明に係る角型土嚢の第１実施形態を概略的に示す斜視図である。なお、図１における角型土嚢１は、建設用重機により、吊り上げられた状態となっている。
図１に示すように、第１実施形態に係る角型土嚢１は、四角柱状の袋体１０と、袋体１０内に収納された図示しないボードと、袋体１０に取り付けられた吊りベルト３０と、袋体１０内のボードよりも内側に充填された上記充填材とを備える。
【００３１】
角型土嚢１は、建設用重機により、吊りベルト３０を介して吊り上げられるようになっている。
そして、吊り上げられた角型土嚢１は、目的の位置まで運搬され、そこで施工されることになる。
【００３２】
角型土嚢１は、四角柱状であるため、隣合せて設置した場合、側面同士が当接され、生じる隙間を極力小さくすることができる。
また、四角柱状であるため、地震や土砂崩れ等の際に、転倒して、転がって移動するようなことを防止することができる。
【００３３】
図２の（ａ）は、第１実施形態に係る角型土嚢において、充填材を投入する前の上面布を開いた状態を概略的に示す斜視図であり、（ｂ）は、その断面図である。なお、吊りベルトの記載は省略している。
図２の（ａ）及び（ｂ）に示すように、袋体１０は、上面視で四角形状の底面布１１と、該底面布１１の四方の辺縁部それぞれから起立するように設けられた側面布１２と、それぞれの該側面布１２の上辺縁部に設けられた上面布１３とからなる。
【００３４】
ここで、底面布１１、側面布１２及び上面布１３の材質としては、特に限定されないが、ポリエステル、ポリプロピレン、ポリエチレン、ポリアミド等が用いられる。なお、底面布１１、側面布１２及び上面布１３は、互いに同一の材質であっても、異なる材質であってもよい。
これらの中でも、底面布１１、側面布１２及び上面布１３の材質は、耐久性及びリサイクルのし易さの観点から、いずれもポリプロピレンであることが好ましい。
【００３５】
また、底面布１１、側面布１２及び上面布１３には、反射剤又は紫外線吸収剤が付与されていることが好ましい。施工後に、長期間経過した場合であっても、紫外線による袋体１０の劣化を抑制することができる。なお、反射剤としては、酸化鉄、酸化クロム、酸化鉛、酸化亜鉛、酸化マグネシウム、酸化チタン、炭酸カルシウム、硫酸バリウム等が挙げられ、紫外線吸収剤としては、カーボンブラック、フェニルサリシレート系、ヒドロキシベンゾフェノン系、ベンゾトリアゾール系等の吸収剤が挙げられる。
【００３６】
図３の（ａ）は、第１実施形態に係る角型土嚢において、袋体を製造する前の底面布を示す正面図であり、（ｂ）は、第１実施形態に係る角型土嚢において、袋体を製造する前の側面布を示す正面図であり、（ｃ）は、底面布に側面布を設けた状態を示す斜視図である。
図３の（ａ）に示すように、袋体１０を製造する前の底面布１１は、四角形状の布からなり、図３の（ｂ）に示すように、袋体１０を製造する前の側面布１２は、一枚の長尺状の布からなる。
このように、側面布１２が、一枚の長尺状の布からなるので、袋体１０の製造が容易となる。
【００３７】
そして、当該底面布１１の四方の辺縁部１１ａに、それぞれ、側面布１２の下辺縁部１２ｂを縫着させることにより、底面布１１から起立するように側面布１２が設けられる。
こうして、図３の（ｃ）に示すように、角型土嚢においては、底面布１１と側面布１２とにより箱状となるので、充填材を収納することが可能となる。
【００３８】
角型土嚢１において、四方の側面布１２の上辺縁部１２ａには、ぞれぞれ、上面布１３が設けられる。
図４の（ａ）は、第１実施形態に係る角型土嚢において、袋体を製造する前の第１上面布を示す上面図であり、（ｂ）は、袋体を製造する前の第２上面布を示す上面図である。
図４の（ａ）及び（ｂ）に示すように、上面布１３は、異なる２つのタイプが用いられる。
すなわち、図４の（ａ）に示すように、一方の上面布１３（以下便宜的に「第１上面布１３１」という。）は、底面布１１の半分のサイズの四角形状となっており、その自由端辺縁部１３１ａには、幅方向に沿って複数の穴１３３が設けられている。
また、図４の（ｂ）に示すように、他方の上面布１３（以下便宜的に「第２上面布１３２」という。）は、底面布１１と同等のサイズの四角形状となっている。
【００３９】
第１上面布１３１は、その基端辺縁部１３１ｂが、向かい合う一対の側面布１２の上辺縁部１２ａにそれぞれ縫着されており、第２上面布１３２は、その基端辺縁部１３２ｂが、別の向かい合う一対の側面布１２の上辺縁部１２ａにそれぞれ縫着されている。すなわち、第１上面布１３１が設けられる方向と、第２上面布１３２が設けられる方向とは上面視で直交している（図２の（ａ）参照）。
【００４０】
このように、角型土嚢１においては、側面布１２の下辺縁部１２ｂと、底面布１１の各辺縁部１１ａとが縫着されており、側面布１２の上辺縁部１２ａと、上面布１３１，１３２の基端辺縁部１３１ｂ，１３２ｂとが縫着されているので、強度にも優れる。
【００４１】
角型土嚢１においては、一方の第２上面布１３２が、充填材の上面を覆うように配置され、他方の第２上面布１３２が、その上に重ねて配置され、さらに、その上に、第１上面布１３１が配置される。
すなわち、向かい合う第２上面布１３２同士が、向かい合う第１上面布１３１同士の下面で、互いに重なり合っている。
そして、第１上面布１３１は、向かい合う自由端辺縁部１３１ａに沿ってそれぞれ複数の穴１３３が設けられているので、当該穴１３３を交互にロープで縛ることにより、第１上面布１３１同士が互いに連結される。
【００４２】
これにより、角型土嚢１においては、充填材の上面が第１上面布１３１及び第２上面布１３２で覆われ、且つ、その状態が維持される（図１参照）。
その結果、例えば、施工の際等に、充填材の上面が不作為に開放されて充填材がこぼれ落ちることを極力防止することができる。
また、第２上面布１３２同士が、第１上面布１３１の下面で、互いに重なり合っているので、充填材がこぼれ落ちることをより確実に防止することができる。
【００４３】
図２の（ａ）及び（ｂ）に戻り、角型土嚢１においては、四方の側面布１２の内面に添うように平板状のボード２０がそれぞれ配置されている。
当該ボード２０の材質としては、特に限定されないが、例えば、プラスチック段ボール、硬質プラスチック、合板、鋼板等が用いられる。
これらの中でも、ボード２０は、軽量であり、汎用性に優れるプラスチック段ボールであることが好ましい。
【００４４】
ここで、ボード２０のＪＩＳ−Ｋ７１７１に準拠して測定した曲げ強度は、３ＭＰａ以上であることが好ましく、５ＭＰａ以上であることがより好ましい。
強度が３ＭＰａ未満であると、強度が上記範囲内にある場合と比較して、充填材の充填圧により変形する恐れがある。
【００４５】
角型土嚢１において、充填材は、袋体１０内のボード２０よりも内側に充填される。
図５の（ａ）は、第１実施形態に係る角型土嚢において充填材による充填圧のかかり方を説明するための説明図であり、（ｂ）は、ボードを有しない場合の充填材による充填圧のかかり方を説明するための説明図である。
図５の（ａ）に示すように、角型土嚢１においては、充填材が充填されると、その充填圧が直角方向に付加され、ボード２０が外側に押されて固定される。
このとき、当該充填圧は、ボード２０の面方向に均等に分散されるので、袋体１０の形状が変形することを抑制することができる。
一方、図５の（ｂ）に示すように、ボード２０を有しない場合は、充填材の充填圧が放射状に加わると、柔軟性を有する袋体は変形し、結果的に円柱状となってしまう。
【００４６】
図１に戻り、吊りベルト３０は、袋体１０に取り付けられる。
ここで、吊りベルト３０の使用糸としては、マルチフィラメント又はテープヤーンが用いられる。これらの中でも、吊りベルト３０の使用糸は、傷付き難いという理由から、マルチフィラメントであることが好ましい。
また、吊りベルト３０の材質としては、特に限定されないが、ポリエステル、ポリプロピレン、ポリエチレン、ポリアミド等が用いられる。
これらの中でも、吊りベルト３０の材質は、耐久性及びリサイクルのし易さの観点から、ポリプロピレンであることが好ましい。
【００４７】
また、吊りベルト３０には、反射剤又は紫外線吸収剤が付与されていることが好ましい。この場合、紫外線による吊りベルト３０の劣化を抑制することができる。
なお、反射剤及び紫外線吸収剤としては、上述したものと同じものが用いられる。
【００４８】
吊りベルト３０は、ループ状となっており、底面布１１の裏面に対して直交した状態で縫着され、且つ、該底面布１１から立ち上がるようにして、四方の側面布１２の外側の横方向に対して中間の位置に垂直に縫着されている。なお、かかる縫着は、少なくとも一部であればよい。
このように、土嚢１においては、吊りロープを四方の側面布１２の外側の横方向に対して中間の位置に垂直に設けることにより、袋体１０の形状を極力変形させずに、吊りベルト３０を介して角型土嚢１を容易に搬送することが可能となる。
【００４９】
また、吊りベルト３０は、袋体１０の上方に、アーチ状に突出しており、当該吊りベルト３０の頂点には、フックを引掛けるための取っ手部３１が設けられている。
取っ手部３１は、１枚のシートからなり、吊りベルト３０に巻き付けることにより、形成される。
これにより、フックを引掛ける部分の吊りベルト３０を補強することができ、且つ、フックを取り付ける位置も明確となる。
【００５０】
角型土嚢１においては、吊りベルト３０の取っ手部３１に、建設用重機のフックを引掛けて、当該フックを上昇させることにより、角型土嚢１が吊り上げられることになる。なお、かかる建設用重機としては、角型土嚢１を吊り上げ可能であれば、特に限定されず、例えば、クレーン、ショベル、バックホウ等が採用できる。
【００５１】
そして、角型土嚢１は、吊り上げられた状態で、建設用重機により他所に運搬され施工される。
図６の（ａ）は、第１実施形態に係る角型土嚢を隣合せで設置した状態を模式的に示す上面図であり、（ｂ）は、円柱状の土嚢を隣り合わせで設置した状態を模式的に示す上面図である。
図６の（ａ）に示すように、角型土嚢１は、上面視で四角形であるため、隣合せて設置した場合、側面同士が当接された状態となる。このため、角型土嚢１間に生じる隙間Ｓ１を極力小さくすることができる。
一方、図６の（ｂ）に示すように、円柱状の土嚢３の場合、土嚢３間に生じる隙間Ｓ２は、図６の（ａ）の場合に比べて、極めて大きくなる。
【００５２】
このように、第１実施形態に係る角型土嚢１によれば、隙間Ｓ１を極力小さくすることができるので、スペースを有効利用できると共に、隙間Ｓ１にゴミがたまることを抑制することができる。
また、河川の氾濫や土砂崩れを抑えるために用いた場合であっても、角型土嚢１同士の間の隙間から水や土砂が漏れ難くなる。
さらに、長期間経過後の袋体１０の強度が低下している場合であっても、角型土嚢１同士が隣接しているため、充填材の充填圧により、袋体１０が破損することを防止できる。
【００５３】
（第２実施形態）
次に、本発明に係る角型土嚢の第２実施形態について説明する。
図７の（ａ）は、第２実施形態に係る角型土嚢において、充填材を投入する前の上面布を開いた状態を概略的に示す斜視図であり、（ｂ）は、その断面図である。なお、吊りベルトの記載は省略している。
図７の（ａ）及び（ｂ）に示すように、第２実施形態に係る角型土嚢２は、四角柱状の袋体５０と、袋体５０内に収納されたボード２０と、袋体５０に取り付けられた図示しない吊りベルトと、袋体５０内の後述する補助布よりも内側に充填された上記充填材とを備える。
したがって、第２実施形態に係る角型土嚢２は、袋体５０の構造が異なること以外は、第１実施形態に係る角型土嚢１と同じである。
【００５４】
袋体５０は、上面視で四角形状の底面布１１と、該底面布１１の四方の辺縁部それぞれから起立するように設けられた側面布１２と、それぞれの該側面布１２の上辺縁部に設けられた上面布２３と、上面布２３よりも内側となるように、それぞれの該側面布１２の上辺縁部１２ａ及び横辺縁部１２ｂに設けられた補助布１５とからなる。
なお、補助布１５及び上面布２３の材質は、上述した底面布１１、側面布１２及び上面布１３と同様のものが用いられる。
【００５５】
補助布１５は、側面布１２の内面に添設され、補助布１５の上辺縁部１５ａと、両側一対の横辺縁部１５ｂとが、共に、側面布１２に縫着されている。すなわち、側面布１２の内面には、補助布１５により形成された、下方に開口部を有するポケットが設けられている。
そして、当該ポケットにボード２０を挿入すると、ボード２０が、側面布１２と補助布１５とにより挟持されるように配置される。
【００５６】
このように、角型土嚢２においては、補助布１５が側面布１２に取り付けられた状態でポケットの役割を果たすため、当該ポケットにボード２０を挿入することにより、ボード２０が横方向にずれることも防止でき、ボード２０の位置決めを簡単に行うことが可能となる。
【００５７】
また、角型土嚢２においては、袋体内５０の充填材が補助布１５よりも内側に充填される。
したがって、角型土嚢２を吊り上げると、充填材が、その重量により、袋体５０を下方に押し下げようとするため、結果的に、ボード２０が上方にずれ易くなるが、ボード２０が、側面布１２と補助布１５とにより挟持されているので、充填材の充填圧が補助布１５に付加され、その補助布１５によりボード２０が拘束されることになる。
これにより、吊り上げの際に、ボード２０が上下にずれることを防止することができる。
【００５８】
上面布２３は、上述した第１実施形態に係る角型土嚢１と同様に、異なる２つのタイプが用いられる。
すなわち、一方の上面布２３（以下便宜的に「第１上面布２３１」という。）は、第１実施形態に係る角型土嚢１における第１上面布１３１と同様に、底面布１１の半分のサイズの四角形状となっているが、複数の穴が設けられておらず、その代わりに、タッチファスナー２３３が設けられている。
なお、第２上面布１３２については、第１実施形態に係る角型土嚢１における第２上面布１３２と同じであるので説明を省略する。
【００５９】
角型土嚢２においては、一方の第２上面布１３２が、充填材の上面を覆うように配置され、他方の第２上面布１３２が、その上に重ねて配置され、さらに、その上に、第１上面布２３１が配置される。
すなわち、向かい合う第２上面布１３２同士が、向かい合う第１上面布２３１同士の下面で、互いに重なり合っている。
そして、第１上面布２３１は、向かい合う自由端辺縁部１３１ａにタッチファスナー２３３が設けられているので、当該タッチファスナー２３３同士を互いに面接触させることにより、第１上面布２３１同士が互いに連結される。
【００６０】
これにより、角型土嚢２においては、充填材の上面が第１上面布２３１及び第２上面布１３２で覆われ、且つ、その状態が維持される。
このように、角型土嚢２においては、タッチファスナー２３３を用いることにより、簡単な作業で、第１上面布２３１同士を互いに連結させることができる。
【００６１】
（第３実施形態）
次に、本発明に係る角型土嚢の第３実施形態について説明する。
図８は、第３実施形態に係る角型土嚢において、充填材を投入する前の上面布を開いた状態を概略的に示す斜視図である。
図８に示すように、第３実施形態に係る角型土嚢３は、四角柱状の袋体１０と、袋体１０内に収納された図示しないボードと、袋体１０に取り付けられた吊りベルト３０と、袋体１０内のボードよりも内側に配置された内袋１４と、該内袋１４に充填された上記充填材とを備える。
したがって、第３実施形態に係る角型土嚢３は、袋体１０内に内袋１４を介して、充填材が充填されていること以外は、第１実施形態に係る角型土嚢１と同じである。
【００６２】
角型土嚢３は、内袋１４を介して、充填材を充填するため、耐久性に優れる。
また、焼却灰、汚泥、汚染土壌、家畜糞等の微粉末状や液状の充填材も充填することが可能となる。
【００６３】
ここで、内袋１４の材質としては、ポリエステルフィルム、ナイロンフィルム、ポリエチレンフィルム、ポリプロピレンフィルム、ポリ塩化ビニリデンフィルム、ポリビニルアルコールフィルム、ポリ塩化ビニルフィルム、ポリメチルペンテンフィルム、ポリアクリロニトリルフィルム、アルミナ蒸着フィルム又はシリカ蒸着フィルム等のフィルムが挙げられる。
【００６４】
内袋１４は、充填材の性質に応じて、材質を変えることができる。
例えば、充填材が、悪臭を発するものであれば、内袋１４を、上記フィルムを複数積層し、密閉性を有するものとすればよい。
また、充填材が、放射線を発するものであれば、内袋１４を、上記フィルムに、鉛やタングステン等を付与し、遮蔽性を有するものとすればよい。
【００６５】
以上、本発明の好適な実施形態について説明したが、本発明は上述した実施形態に限定されるものではない。
【００６６】
例えば、本実施形態に係る角型土嚢１，２，３は、四角柱状の袋体となっているが、三角柱状、六角柱状等の多角柱状であってもよい。
【００６７】
第１実施形態に係る角型土嚢１において、袋体１０を製造する前の側面布１２は、一枚の長尺状の布からなっているが、複数枚を組み合わせたものでもよい。この場合、底面布１１の四方の辺縁部１１ａに、側面布の下辺縁部を縫着させると共に、側面布同士も縫着する必要がある。
【００６８】
第１実施形態に係る角型土嚢１において、第１上面布１３１と第２上面布１３２とは、異なるサイズのものが用いられているが同じサイズであってもよい。
なお、各上面布のサイズは、充填材の上面を覆うことができれば、任意に設定することが可能である。
また、第１実施形態に係る角型土嚢１においては、第１上面布１３１同士が、向かい合う自由端辺縁部１３１ａの複数の穴１３３にロープを通して縛っており、第２実施形態に係る角型土嚢２においては、タッチファスナーにより連結しているが、第１上面布同士の連結方法は、これらに限定されない。
【００６９】
第１実施形態に係る角型土嚢１において、側面布１２の下辺縁部１２ｂと、底面布１１の各辺縁部１１ａとが縫着されており、側面布１２の上辺縁部１２ａと、上面布１３１，１３２の基端辺縁部１３１ｂ，１３２ｂとが縫着されているが、連結方法は縫着に限定されず、接着剤による接着や熱による溶着等であってもよい。
【００７０】
第１実施形態に係る角型土嚢１においては、ループ状の吊りベルト３０を用いているが、紐状の吊りベルトを用いてもよい。
【００７１】
第１実施形態に係る角型土嚢１においては、袋体１０の上方に、二組のアーチ状の吊りベルト３０が突出しているが（図１参照）、突出するアーチ状の吊りベルト３０は、一組であってもよく、三組以上であってもよい。
【００７２】
第１実施形態に係る角型土嚢１において、吊りベルト３０は、底面布１１の裏面に対して直交した状態で縫着され、且つ、該底面布１１から立ち上がるようにして、四方の側面布１２の外側の横方向に対して中間の位置に垂直に縫着されているが、吊りベルト３０を取り付ける位置はこれに限定されない。
図９は、他の実施形態に係る角型土嚢の概略を示す斜視図である。
図９に示すように、角型土嚢において、吊りベルト３０ａは、底面布１１の裏面に対して複数箇所で直交した状態で縫着され、且つ、該底面布１１から立ち上がるようにして、四方の側面布１２の外側の横方向に対して略等間隔となるように二箇所の位置に垂直に縫着されている。
この場合、袋体１０の形状をより変形させずに、吊りベルト３０を介して角型土嚢１を容易に搬送することが可能となる。
【００７３】
第２実施形態に係る角型土嚢２においては、補助布１５が、側面布１２の内面に添設されており、補助布１５の上辺縁部１５ａと、両側一対の横辺縁部１５ｂとが、共に、側面布１２に縫着されているが、補助布１５を側面布１２に取り付ける位置、手段については、特に限定されない。
【産業上の利用可能性】
【００７４】
本発明に係る角型土嚢１，２，３は、海岸、河川、湖、池、道路、山林等での土木工事に用いられる。
本発明に係る角型土嚢１，２，３によれば、土嚢を隣合せて設置した場合に、土嚢同士の間に生じる隙間を極力小さくすることができる。
【符号の説明】
【００７５】
１，２，３・・・角型土嚢
１０，５０・・・袋体
１１・・・底面布
１１ａ・・・辺縁部
１２・・・側面布
１２ａ，１５ａ・・・上辺縁部
１２ｂ・・・下辺縁部
１３，２３・・・上面布
１３１，２３１・・・第１上面布（上面布）
１３１ａ・・・自由端辺縁部
１３１ｂ，１３２ｂ・・・基端辺縁部
１３２・・・第２上面布（上面布）
１３３・・・穴
１５・・・補助布
１５ｂ・・・横辺縁部
２０・・・ボード
２３３・・・タッチファスナー
３０，３０ａ・・・吊りベルト
３１・・・取っ手部
Ｓ１，Ｓ２・・・隙間
【図１】
0006718642.tif 000002
【図２】
0006718642.tif 000003
【図３】
0006718642.tif 000004
【図４】
0006718642.tif 000005
【図５】
0006718642.tif 000006
【図６】
0006718642.tif 000007
【図７】
0006718642.tif 000008
【図８】
0006718642.tif 000009
【図９】
0006718642.tif 000010